(57)【要約】【課題】  本発明は、少ない検出スイッチで挿入されたカードの種類を検出可能な構造が簡単なカード用コネクタ装置を提供すること。【解決手段】本発明のカード用コネクタ装置１は、第１カード２の接触部（図示せず）に電気的に接続可能な第１コンタクト端子５ａと、第２カード３の接触部（図示せず）に電気的に接続可能な第２コンタクト端子６ａとを備え、カード装着部に第１、または第２カード２、３の何れかを装着すると、第１、または第２コンタクト端子５ａ、６ａの何れかが、第１、または第２カード２，３の何れかの接触部に電気的に接続すると共に、検出スイッチ１３がＯＮすることで、種類の異なる何れのカードが装着されたかを検出可能になっている。【選択図】        図８
2007165228.tif 000002
【特許請求の範囲】
【請求項１】
第１カード、または第１カードより長さの短い第２カードを装着可能なカード装着部が形成されたハウジングと、前記カード装着部に挿入される前記第１、または第２カードと共にスライド移動可能なスライド部材と、前記カード装着部に前記第１、または第２カードの何れかが装着されたことを検出可能な検出スイッチと、第１カードの接触部に電気的に接続可能な第１コンタクト端子と、第２カードの接触部に電気的に接続可能な第２コンタクト端子とを備え、
前記カード装着部に前記第１、または第２カードの何れかを装着すると、前記第１、または第２コンタクト端子の何れかが、前記第１、または第２カードの何れかの前記接触部に電気的に接続すると共に、前記検出スイッチがＯＮすることで、前記第１、又は第２カードの何れのカードが装着されたかを検出可能になっていることを特徴とするカード用コネクタ装置。
【請求項２】
前記第１、又は第２カードの前記接触部が前記第１、または第２コンタクト端子の何れかに電気的に接続した後に、スライド移動する前記スライド部材により前記検出スイッチが操作されてＯＮすることで、前記カード装着部に装着された前記第１、又は第２カードを前記検出可能になっていることを特徴とする請求項１記載のカード用コネクタ装置。
【請求項３】
前記検出スイッチは、可動接点と、この可動接点を可動自在に保持した保持部材と、前記ハウジング側に形成した固定接点とで構成され、前記可動接点を保持した前記保持部材は、前記第１、または第２カードの何れかのカードの挿入に伴ってスライド移動する前記スライド部材によって前記固定接点側に移動して、前記可動接点が前記固定接点に導通可能になっていることを特徴とする請求項１、または２記載のカード用コネクタ装置。
【請求項４】
前記保持部材には、スライド移動する前記スライド部材が当接して前記保持部材を前記固定接点側に移動操作可能な当接部が形成されていることを特徴とする請求項３に記載のカード用コネクタ装置。
【請求項５】
前記可動接点は、一端部と他端部とが互いに離れる方向に所定の角度で開脚した捻りコイルバネからなり、前記一端部と他端部とが接点部となって前記固定接点に電気的に導通可能になっていることを特徴とする請求項３、または４記載のカード用コネクタ装置。
【請求項６】
前記固定接点は、所定の隙間を有して互いに絶縁された第１電極と第２電極とを有し、前記保持部材は、前記可動接点の前記一端部が前記第１電極に常時弾接していると共に、前記スライド部材のスライド移動で前記保持部材が前記固定接点側に移動することで、前記他端部が前記ハウジングの底壁上を摺動して前記第２電極に導通することを特徴とする請求項５記載のカード用コネクタ装置。
【請求項７】
前記保持部材は、一方側が前記ハウジングに支持されて他方側が前記可動接点の付勢力により前記固定接点から離れる方向に付勢されており、前記スライド移動する前記スライド部材が、前記可動接点の付勢力に抗して前記当接部を押圧することで、前記保持部材の前記他方側が前記固定接点側に回動することを特徴とする請求項４乃至６の何れか１項に記載のカード用コネクタ装置。  
【請求項８】
前記スライド部材には、前記保持部材の前記当接部を押圧操作可能な押圧面が形成されると共に、スライド移動時に前記操作部材の一部が干渉しないように逃げ部が形成されていることを特徴とする請求項４乃至７のいずれか１項に記載のカード用コネクタ装置。
【発明の詳細な説明】
【技術分野】
【０００１】
本発明はカード用コネクタ装置に係わり、種類の異なるカードのそれぞれを所定のカード装着位置に装着可能なカード用コネクタ装置に関する。
【背景技術】
【０００２】
従来のカード用コネクタ装置を、例えば特許文献１に記載のもので説明すると、従来のカード用コネクタ装置５１は、図１３Ａ、Ｂに示すように、トップカバー５２と底壁５３とによってハウジング５４が構成され、このハウジング５４は、一端が開放されてスロット５５が形成されている。
前記スロット５５には、図１４に示すような、大きさ及び厚さの異なる第１、第２カード５６、５７が挿入可能になっている。
【０００３】
そして、スロット５５の奥部には、第１カード５６を挿入時の接触部位置（図示せず）に合わせて複数の第１コンタクト端子５８が配設され、スロット５５の略中央部には、第２カード５７を挿入時の接触部位置（図示せず）に合わせて複数の第２コンタクト端子５９が配設されている。
また、底壁５３には、第１カード５６より幅広で薄肉の第２カード５７の側面に当接して、挿入された第２カード５７を検出可能な第１検出スイッチ６０がボトムベース５３の図示左側部に摺動自在に配設されている。また、ボトムベース５３の略中央部には、挿入される第２カード５７を位置決め可能なストッパ６１が上下動可能に配設されている。
【０００４】
また、第１、第２カード５６、５７の厚さを検出するための第２検出スイッチ６２がトップベース５２を貫通して上下動自在に配設され、第２検出スイッチ６２と対峙する位置のボトムベース５３に押え板６３が配設されている。
更に、第１コンタクト端子５８の図示左端部側には、第１カード５６先端のスイッチ当接部５６ｂが当接可能な第３検出スイッチ６４が設けられ、第２コンタクト端子５９の図示左端部側に、第２カード５７の当接部５７ｂが当接可能な第４検出スイッチ６５が設けられている。
【０００５】
このような従来のカード用コネクタ装置５１は、図１４Ａに示す状態の第１カード５６をスロット５５に挿入すると、第１、第４検出スイッチ６０、６５はＯＦＦとなり、第２、第３検出スイッチ６２、６４がＯＮとなることで、第１カード５６が表面を上にして挿入されたことを検出するようになっている。また、第１カード５６が裏返し状態で挿入されると、第２検出スイッチ６２のみがＯＮして、第１、第３、第４検出スイッチ６０、６４、６５がＯＦＦとなることで、第１カード５６が裏返しで挿入されたことを検出するようになっている。
また、図１４Ｂに示す状態の第２カード５７をスロット５５に挿入すると、第２、第４検出スイッチ６２、６５がＯＮとなることで、第２カード５７が表面を上にして挿入されたことを検出するようになっている。また、第２カード５７が裏返し状態で挿入されると、第１検出スイッチ６０のみがＯＮして、第２、第３、第４検出スイッチ６２、６４、６５がＯＦＦとなることで、第２カード５７が裏返しで挿入されたことを検出するようになっている。
即ち、それぞれの検出スイッチから出力されるＯＮ／ＯＦＦ信号に基づいて、挿入されたカードの種類と表裏の検出がされるようになっている。
【特許文献１】特開２００２−１６４１２４号公報
【特許文献２】特開２００４−１８５８２２号公報
【発明の開示】
【発明が解決しようとする課題】
【０００６】
しかし、従来のカード用コネクタ装置５１は、種類の異なる第１、第２カード５６、５７を検出するのに、第１〜第４検出スイッチ６０、６２、６４、６５と、数多くのスイッチが必要であったので、部品点数が多くなりコストアップになる問題があった、また、それぞれのスイッチに電気的に接続するための接続用パターン等の引き回しが複雑になる問題があった。
本発明は、前述したような課題を解決するためになされたもので、少ない検出スイッチで挿入されたカードの種類を検出可能な構造が簡単なカード用コネクタ装置を提供することを目的とする。
【課題を解決するための手段】
【０００７】
前記課題を解決するための第１の手段として本発明のカード用コネクタ装置は、
第１カード、またはこの第１カードより長さの短い第２カードを装着可能なカード装着部が形成されたハウジングと、前記カード装着部に挿入される前記第１、または第２カードと共にスライド移動可能なスライド部材と、前記カード装着部に前記第１、または第２カードの何れかが装着されたことを検出可能な検出スイッチと、第１カードの接触部に電気的に接続可能な第１コンタクト端子と、第２カードの接触部に電気的に接続可能な第２コンタクト端子とを備え、前記カード装着部に前記第１、または第２カードの何れかを装着すると、前記第１、または第２コンタクト端子の何れかが、前記第１、または第２カードの何れかの前記接触部に電気的に接続すると共に、前記検出スイッチがＯＮすることで、前記第１、又は第２カードの何れのカードが装着されたかを検出可能になっていることを特徴とする。
また、前記課題を解決するための第２の手段として、前記第１、又は第２カードの前記接触部が前記第１、または第２コンタクト端子の何れかに電気的に接続した後に、スライド移動する前記スライド部材により前記検出スイッチが操作されてＯＮすることで、前記カード装着部に装着された前記第１、または第２カードを前記検出可能になっていることを特徴とする。
また、前記課題を解決するための第３の手段として、前記検出スイッチは、可動接点と、この可動接点を可動自在に保持した保持部材と、前記ハウジング側に形成した固定接点とで構成され、前記可動接点を保持した前記保持部材は、何れかのカードの挿入に伴ってスライド移動する前記スライド部材によって前記固定接点側に移動して、前記可動接点が前記固定接点に導通可能になっていることを特徴とする。
【０００８】
また、前記課題を解決するための第４の手段として、前記保持部材には、スライド移動する前記スライド部材が当接して前記保持部材を前記固定接点側に移動操作可能な当接部が形成されていることを特徴とする。
また、前記課題を解決するための第５の手段として、前記可動接点は、一端部と他端部とが互いに離れる方向に所定の角度で開脚した捻りコイルバネからなり、前記一端部と他端部とが接点部となって前記固定接点に電気的に導通可能になっていることを特徴とする。
また、前記課題を解決するための第６の手段として、前記固定接点は、所定の隙間を有して互いに絶縁された第１電極と第２電極とを有し、前記保持部材は、前記可動接点の前記一端部が前記第１電極に常時弾接していると共に、前記スライド部材のスライド移動で前記保持部材が前記固定接点側に移動することで、前記他端部が前記ハウジングの底壁上を摺動して前記第２電極に導通することを特徴とする。
【０００９】
また、前記課題を解決するための第７の手段として、前記保持部材は、一方側が前記ハウジングに支持されて他方側が前記可動接点の付勢力により前記固定接点から離れる方向に付勢されており、前記スライド移動する前記スライド部材が、前記可動接点の付勢力に抗して前記当接部を押圧することで、前記保持部材の前記他方側が前記固定接点側に回動することを特徴とする。
また、前記課題を解決するための第８の手段として、前記スライド部材には、前記保持部材の前記当接部を押圧操作可能な押圧面が形成されると共に、スライド移動時に前記操作部材の一部が干渉しないように逃げ部が形成されていることを特徴とする。
【発明の効果】
【００１０】
本発明は、カード装着部に第１、または第２カードの何れかを装着すると、第１、または第２コンタクト端子の何れかが、第１、または第２カードの何れかの接触部に電気的に接続すると共に、検出スイッチがＯＮすることで、第１、または第２カードの何れが装着されたかを検出可能になっているので、検出スイッチが１個で装着されたカードの種類を検出することができ、部品点数の少なくてコストダウンが可能なカード用コネクタ装置を提供できる。また、１個の検出スイッチに接続する配線パターン等の引き回しが容易である。
また、何れかのカードの接触部が第１、または第２コンタクト端子の何れかに電気的に接続した後に、スライド移動するスライド部材により検出スイッチが操作されてＯＮすることで、カード装着部に装着された種類の異なるカードを検出可能になっているので、検出スイッチがＯＮすれば何れかのカードが装着されていることになり、確実なカード検出を行うことができる。
また、検出スイッチは、可動接点と、この可動接点を可動自在に保持した保持部材と、ハウジング側に形成した固定接点とで構成され、可動接点を保持した保持部材は、何れかのカードの挿入に伴ってスライド移動するスライド部材によって固定接点側に移動して、可動接点が固定接点に導通可能になっているので、検出スイッチの構造を簡単にできる。
【００１１】
また、保持部材には、スライド移動するスライド部材が当接して保持部材を固定接点側に移動操作可能な当接部が形成されているので、スライド部材のスライドで確実に検出スイッチを操作することができる。
また、可動接点は、一端部と他端部とが互いに離れる方向に所定の角度で開脚した捻りコイルバネからなり、一端部と他端部とが接点部となって固定接点に電気的に導通可能になっているので、構造が簡単で部品点数の少ない検出スイッチとすることができる。
また、固定接点は、所定の隙間を有して互いに絶縁された第１電極と第２電極とを有し、保持部材は、可動接点の一端部が第１電極に常時弾接していると共に、スライド部材のスライド移動で保持部材が前記固定接点側に移動することで、他端部がハウジングの底壁上を摺動して第２電極に導通するので、スライド部材スライドで可動接点を固定接点に確実に導通させることができる。
【００１２】
また、保持部材は、一方側がハウジングに支持されて他方側が可動接点の付勢力により固定接点から離れる方向に付勢されており、スライド移動するスライド部材が、可動接点の付勢力に抗して当接部を押圧することで、保持部材の他方側が固定接点側に回動するので、保持部材を固定接点側に確実に回動させて、検出スイッチをＯＮさせることができる。
また、スライド部材には、保持部材の当接部を押圧操作可能な押圧面が形成されると共に、スライド移動時に操作部材の一部が干渉しないように逃げ部が形成されているので、保持部材の一部をスライドするスライド部材の逃げ部に逃がすことで、ハウジングの奥行き寸法を小さくできる。
【発明を実施するための最良の形態】
【００１３】
以下に、本発明のカード用コネクタ装置の一実施の形態を図面に基づいて説明する。図１は本発明に係わる第１カードを説明する側面図と平面図であり、図２は本発明に係わる第２カードを説明する側面図と平面図であり、図３、図４は本発明に係わる第１カードの装着動作を説明する平面図であり、図５、図６は本発明に係わる第２カードの装着動作を説明する平面図であり、図７は本発明のカード用コネクタ装置においてスライド部材が初期状態に位置した平面図であり、図８は図７の２−２断面図であり、図９は本発明のカード装置においてスライド部材が動作時の平面図であり、図１０は図９の４−４断面図であり、図１１は本発明に係わるスライド部材及びストッパ部材を説明する図面であり、図１２は本発明に係わる検出スイッチの可動接点側を説明する図である。
【００１４】
まず、本発明のカード用コネクタ装置１に装着可能な第１カード２は、図１に示すように、長さ寸法Ｌ２１が長く、幅寸法Ｌ２２が長さ寸法Ｌ２１より小さな図示縦長状に形成されている。
また、第１カード２には、平坦状の前端部２ａを有し、この前端部２ａの図示左コーナ部に傾斜状の切欠き部２ｂが形成され、この切欠き部２ｂ近傍の裏面には、第１カード２の長さ方向に沿って溝部２ｃが形成され、この溝部２ｃに後述するスライド部材７の規制部１０が侵入可能になっている。
前記切欠き部２ｂが形成された側の側面の裏面の所定位置には、凹部２ｄが形成されている。また、第１カード２には、図示下端部に平坦状の手前側端部２ｅが形成されていると共に、前端部２ａ寄りの裏面には、信号の送受信に寄与するための複数の接触部（図示せず）が形成されている。このような第１カード２は、手前側端部２ｅ付近を操作者が把持して、本発明のカード用コネクタ装置１に挿入して装着可能になっている。
【００１５】
また、第１カード２と種類の異なる第２カード３は、図２に示すように、例えば長さ寸法Ｌ３１が第１カード２の長さ寸法Ｌ２１より短く形成され、幅寸法Ｌ３２が第１カード２の幅寸法Ｌ２２と同じに形成されている。
また、第２カード３は、前端部３ａ側の幅寸法Ｌ３３が切欠き部３ｂによって、Ｌ３２より幅狭になっており、幅広の幅寸法Ｌ３２の裏面側の左右両側面の所定位置には、凹部３ｃが形成されている。
また、第２カード３には、図示下端部に平坦状の手前側端部３ｄが形成されていると共に、前端部３ａ寄りの裏面には、信号の送受信に寄与するための複数の接触部（図示せず）が形成されている。このような第２カード３は、手前側端部３ｄ付近を操作者が把持して、本発明のカード用コネクタ装置１に挿入して装着可能になっている。  
【００１６】
本発明のカード用コネクタ装置１は、図８の断面図に示すように、樹脂材料からなるハウジング４が配設されている。このハウジング４は、図示下部の装置手前側に、第１、または第２カード２、３を矢印Ａのカード挿入方向に挿入可能な挿入口４ａが形成され、底壁４ｂと奥壁４ｃと側壁４ｄとによって内部が空洞状に形成されて、上部がカバー（図示せず）によって遮蔽されている。
また、ハウジング４の空洞内部の奥側には、挿入口４ａから挿入した第１カード２を装着可能な第１カード装着部５が設けられ、この第１カード装着部５には、第１カード２の接触部に接触可能な弾性を有する複数の第１コンタクト端子５ａが、底壁４ｂから空洞内部側に露出して支持されている。
【００１７】
また、第１カード装着部５の図示下方の手前側には、挿入口４ａから挿入した第２カード３を装着可能な第２カード装着部６が設けられ、この第２カード装着部６には、第２カード３の接触部に接触可能な弾性を有する複数の第２コンタクト端子６ａが、底壁４ｂから空洞内部側に露出して支持されている。
また、図７に示すハウジング４の左側側壁４ｃ近傍の底壁４ｂ上には、挿入口４ａから挿入する第１、または第２カード２、３によって、矢印Ａのカード挿入方向にスライド移動可能なスライド部材７が配設されている。
【００１８】
前記スライド部材７には、図１１に示すように、矢印Ａのカード挿入方向に挿入される第１カード２の前端部２ａが当接する略Ｌ字状の当接部７ａと、後述するストッパ部材８が、第１カード２を挿入時に邪魔にならない位置に退避するための退避部７ｂとが形成されている。
また、スライド部材７の退避部７ｂには、矢印Ａのカード挿入方向と直交する方向に横長状の係合溝７ｃが貫通形成され、この係合溝７ｃに後述するストッパ部材８の係合ピン８ｂがスライド自在に係合可能になっている。
また、図１１ｃに示すように、スライド部材７には、退避部７ｂの図示上方で前方に、後述する保持部材１５の一部が干渉するのを防止するための溝状の逃げ部７ｄが形成されている。
【００１９】
また、スライド部材７には、後述するコイルバネからなる弾性部材１７を支持するためのバネ支持部７ｅが図示上方側に突出形成されている。前記当接部７ａの裏面には、図１１Ａに示すように、端部に傾斜面が設けられた平坦状の押圧面７ｆが形成され、この押圧面７ｆで後述する保持部材１５を固定接点１６側に押し下げるようになっている。
また、係合溝７ｃには、外形が略矩形状のストッパ部材８が支持されて係合溝７ｃに沿ってスライド自在になっている。前記ストッパ部材８には、表面から支持ピン８ａが立設され、図１１Ｄに示す裏面からは、係合溝７ｃに係合する２本の係合ピン８ｂが立設されている。即ち、ストッパ部材８は、係合溝７ｃに２本の係合ピン８ｂが係合支持されて、係合溝７ｃに沿ってスライド自在になっている。
【００２０】
また、ストッパ部材８は、スライド部材７に回動自在に支持された細長状のアーム部材９に連結されている。前記アーム部材９は、ストッパ部材８の支持ピン８ａが係合可能な長孔状の連結孔９ａが、図１１Ｂに示す上方側の一方側に形成されると共に、図示下方側の他方側の回動支持部９ｂがスライド部材７に支持されて、回動支持部９ｂを支点として回動可能になっている。
このようなアーム部材９は、挿入口４ａから挿入する第１カード２の傾斜状の切欠き部２ｂに押圧されて、回動支持部９ｂを支点として反時計回り方向に回動するようになっている。
また、アーム部材９は、回動支持部９ｂに捻りコイルバネ９ｃが配設されて、回動支持部９ｃを支点として常時時計回り方向に弾性付勢されている。
【００２１】
そのために、アーム部材９の楕円孔９ａに支持ピン８ａを係合支持したストッパ部材８は、挿入口４ａから挿入する第１カード２の傾斜状の切欠き部２ｂにアーム部材９が押圧されると、退避部７ｂ側にスライドして退避して、第１カード２の挿入に邪魔にならないようになっている。
また、スライド部材７には、挿入される第２カード３が当接した時、ストッパ部材８が矢印Ａのカード挿入方向に動くのを規制するための規制部１０が、退避部７ｂの底面から所定高さでストッパ部材８の高さ方向に突出形成されている。
前記第１カード２には、裏面側に規制部１０を逃げるための溝部２ｃが形成されているので、挿入口４ａから挿入する第１カード２が規制部１０にぶつからないようになっている。
【００２２】
また、図１１Ｃに示すスライド部材７の図示下方の前方側には、所定の深さと幅寸法のカム溝１１が形成され、このカム溝１１は、往路１１ａと、復路１１ｂと、ロック部１１ｃとに枝分かれしたハートカム状に形成され、このカム溝１１に、図７に示すように、針金状の硬質のカムピン１２が係合している。
前記カムピン１２は、図示下方の一端部１２ａがハウジング４側に支持され、図示上方の他端部１２ｂがカム溝１１に係合して、スライド部材７がスライドすることで、カム溝１１内を相対的に摺動するようになっている。
そして、第１、または第２カード２、３の何れの挿入に伴ってスライド部材７が矢印Ａ方向に移動すると、カムピン１２の他端部１２ｂがカム溝１１に沿って相対的に摺動するようになっている。
【００２３】
また、図７に示すように、ハウジング４の図示左側の奥壁４ｃ近傍の底壁４ｂ上には、第１、または第２カード２、３の何れかが挿入口４ａから挿入されるに伴って、奥側にスライドするスライド部材７が操作可能な検出スイッチ１３が配設されている。
前記検出スイッチ１３は、図１２に示すように、捻りコイルバネからなる可動接点１４と、この可動接点１４を保持する保持部材１５と、ハウジング４の底壁４ｂに形成した固定接点１６とで構成されている。前記可動接点１４は、固定接点１６に電気的に接触して接点を構成する一端部１４ａと他端部１４ｂとが所定長さで延長形成されている。前記一端部１４ａと他端部１４ｂとは、互いに離れる方向に角度αで開脚して、それぞれの端部１４ａ、１４ｂが略Ｌ字状に折り曲げられている。
このような可動接点１４は、巻回部１４ｃが樹脂材料からなる保持部材１５の接点支持部１５ａに係合して抜け止め保持されている。
【００２４】
また、保持部材１５には、スライド移動するスライド部材７の押圧面７ｆが当接して固定接点１６側に移動操作可能な当接部１５ｂが一方の側面１５ｃから突出形成されている。前記可動接点１４は、一方の側面１５ｃから所定寸法沈み込んだ面に形成された接点支持部１５ａに巻回部１４ｃが支持されて、一端部１４ａ、他端部１４ｂは、一方の側面１５ｃから出っ張らないようになっている（図１２Ｂに示す）。  
また、保持部材１５は、図１２Ｃに示すように、一方側である右側下部のコーナ部に回動支持部１５ｄが突出形成され、この回動支持部１５ｄがハウジング４側に支持されて保持部材１５が回動自在になっている。
【００２５】
このような構成の保持部材１５を支持したハウジング４側の底壁４ｂには、図８に示すように、アウトサート成形等で固定接点１６が露出して埋設されている。前記固定接点１６は、可動接点１４の一端部１４ａが常時弾接する第１電極１６ａと、第２電極１６ｂとが所定の隙間を有して互いに絶縁されている。
前記保持部材１５の当接部１５ｂが、スライド部材７の押圧面７ｆに押圧される前の初期状態においては、第１電極１６ａに可動接点１４の一端部１４ａが常時弾接し、他端部１４ｂが第１、第２電極１６ａ、１６ｂ間の底壁４ｂ上に位置して、検出スイッチ１３はＯＦＦとなっている。
【００２６】
そして、保持部材１５が、回動支持部１５ｄを支点として、他方側が固定接点１６側に回動することで、可動接点１４の一端部１４ａと他端部１４ｂが互いに離れる方向に開脚し、他端部１４ｂが底壁４ｂ上を摺動して第２電極１６ｂに当接する。このことにより、第１、第２電極１６ａ、１６ｂが可動接点１４を介して導通して、検出スイッチ１３がＯＮするようになっている。
このような検出スイッチ１３は、可動接点１４がピアノ線等の弾性を有する線材を巻回した捻りコイルバネからなるので、低コストで製造が容易である。
また、スライド部材７のバネ支持部７ｅには、圧縮コイルバネからなる弾性部材１７が支持されて、スライド部材７を矢印Ｂの排出方向に常時弾性付勢している。
また、スライド部材７には、第２カード３の凹部３ｃに弾性係合可能なバネ部材１８が配設されており、このバネ部材１８により、挿入口４ａから挿入された第２カード３が仮止めされるようになっている。
【００２７】
このような構成の本発明のカード用コネクタ装置１に第１カード２を装着する動作を説明すると、まず、図７に示すように、カード挿入前でスライド部材７が初期状態にある時に、挿入口４ａから第１カード２を挿入すると、図３に示すように、第１カード２の傾斜状の切欠き部２ｂがアーム部材９を図示左方向に押圧する。すると、アーム部材９が回動支持部９ｂを支点として反時計回り方向に回動すると共に、ストッパ部材８が係合溝７ｃに沿って図示左方向に移動して退避部７ｂに位置する。
【００２８】
このことにより、第１カード２の挿入を妨げるものがなくなって、第１カード２の前端部２ａがスライド部材７の当接部７ａに当接する。この状態で、第１カード２を更に押し込むと、当接部７ａを介してスライド部材７がハウジング４の奥側に押し込まれ、第１カード２の複数の接触部（図示せず）が第１コンタクト端子５ａに接触して電気的に接続される。
その後、第１カード２を更に奥側に押し込むことで、奥壁４ｃ側にスライドするスライド部材７の押圧部７ｆにより、保持部材１５の当接部１５ｂが底壁４ｂ方向に押圧される。
このことにより、図１０に示すように、可動接点１４の他端部１４ｂが底壁４ｂ上を摺動して固定接点１６の第２電極１６ｂに接触し、第１、第２電極１６ａ、１６ｂが電気的に導通して、第１カード装着部５に第１カード２が装着されたことが検出される。
【００２９】
即ち、第１カード装着部５に第１カード２が装着されると、第１カード２の接触部が第１コンタクト端子５ａに電気的に接続し、その後に、検出スイッチ１３がＯＮすることで、第１カード２が第１カード装着部５に装着されたことが検出される。前記第１カード２を装着する時のスライド部材７は、挿入口４ａから挿入する第１カード２と共に矢印Ａ方向にスライドすることで、カムピン１２の他端部１２ｂがカム溝１１の往路１１ｂ上を相対的に摺動して、図９に示すように、カム溝１１のロック部１１ｃに係止される。
このことにより、スライド部材７が弾性部材１７の付勢力に抗して抜け止めされ、第１カード２が第１カード装着部５に適正に装着される。
【００３０】
また、第１カード装着部５に装着した第１カード２を排出するには、図４に示す装着状態の第１カード２を再度押し込む動作（プッシュ・プッシュ）で、カムピン１２の他端部１２ｂが、カム溝１１のロック部１１ｃから外れて復路１１ｂ上を相対的に摺動する。このことにより、スライド部材７は、ロックが解除されて、弾性部材１７の付勢力で矢印Ｂの排出方向にスライド移動する。
これに伴って、第１カード２がスライド部材７の当接部７ａを介して矢印Ｂの排出方向に押出される。
そして、外部に押出された手前側端部２ｅを操作者が把持して第１カード２を抜き取ることができる。この第１カードの抜き取りによって、スライド部材７が弾性部材１７の付勢力で図７に示す初期状態に自動復帰する。
【００３１】
また、第２カード３の装着動作は、スライド部材８が初期状態にある時に、挿入口４ａから第２カード３を挿入すると、図５に示すように、第２カード２の左コーナ部側の前端部３ａがストッパ部材８に当接して、ストッパ部材８が矢印Ａのカード挿入方向に押圧されるが、ストッパ部材８は、規制部１０に当接して矢印Ａのカード挿入方向への動きが規制されている。
そのために、矢印Ａのカード挿入方向に挿入される第２カード３と共にスライド部材７が奥側にスライドして、第２カード３の複数の接触部（図示せず）が第２コンタクト端子６ａに接触して電気的に接続される。
【００３２】
その後、第２カード３を更に奥側に押し込むことで、奥壁４ｃ側にスライドするスライド部材７の押圧面７ｆにより、保持部材１５の当接部１５ｂが底壁４ｂ方向に押圧される。
このことにより、図１０に示すように、可動接点１４の異端部１４ａと他端部１４ｂとが開脚して底壁４ｂ上を摺動し、他端部１４ｂが固定接点１６の第２電極１６ｂに接触する。そして、第１、第２電極１６ａ、１６ｂが電気的に導通して、図６に示すように、第２カード装着部６な第２カード３が装着されたことが検出される。
【００３３】
即ち、第２カード３の装着時も、第１カード２の装着と同様に、第２カード３の接触部が第２コンタクト端子６ａに接続した後に、検出スイッチ１３がＯＮすることで、第２カード３が装着されたことが検出される。また、第２カード３を装着、および排出する時のスライド部材７、およびカムピン１２の動作は、第１カード２装着時と同じなので、説明を省略する。
【００３４】
このような本発明のカード用コネクタ装置１は、第１、または第２カード２、３のいずれかを装着すると、何れかの接触部に第１、第２コンタクト端子５ａ、６ａのいずれかが、第１、または第２カード２、３のいずれかの接触部に電気的に接続すると共に、検出スイッチ１３がＯＮすることで、第１、または第２カード２、３の何れが装着されたかを検出できる。
そのために、１個の検出スイッチ１３で装着されたカードを検出できる。そのために、検出スイッチ１３に接続する配線パターン等の引き回しが簡単となり、製造が容易である。
また、検出スイッチ１３は、可動接点１４が捻りコイルバネからなるので、構造が簡単で低コストとすることができる。
【図面の簡単な説明】
【００３５】
【図１】本発明に係わる第１カードを説明する側面図と平面図である。
【図２】本発明に係わる第２カードを説明する側面図と平面図である。
【図３】本発明に係わる第１カードの装着動作を説明する平面図である。
【図４】本発明に係わる第１カードの装着動作を説明する平面図である。
【図５】本発明に係わる第２カードの装着動作を説明する平面図である。
【図６】本発明に係わる第２カードの装着動作を説明する平面図である。
【図７】本発明のカード用コネクタ装置においてスライド部材が初期状態に位置した平面図である。
【図８】図７の２−２断面図である。
【図９】本発明のカード装置においてスライド部材が動作時の平面図である。
【図１０】図９の４−４断面図である。
【図１１】本発明に係わるスライド部材及びストッパ部材を説明する図面である。
【図１２】本発明に係わる検出スイッチの可動接点側を説明する図である。
【図１３】従来のカード用コネクタ装置の平面図と断面図である。
【図１４】従来のカードを説明する平面図である。
【符号の説明】
【００３６】
１  本発明のカード用コネクタ装置
２  第１カード
３  第２カード
４  ハウジング
４ａ  挿入口
４ｂ  底壁
４ｃ  奥壁
４ｄ  側壁
５  第１カード装着部
５ａ  第１コンタクト端子
６  第２カード装着部
６ａ  第２コンタクト端子
７  スライド部材
７ａ  当接部
７ｂ  退避部
７ｃ  係合溝
７ｄ  逃げ部
７ｅ  バネ支持部
７ｆ  押圧面
８  ストッパ部材
８ａ  支持ピン
８ｂ  係合ピン
９  アーム部材
１０  規制部
１１  カム溝
１２  カムピン
１３  検出スイッチ
１４  可動接点
１４ａ  一端部
１４ｂ  他端部
１４ｃ  巻回部
１５  保持部材
１５ａ  接点支持部
１５ｂ  当接部
１５ｃ  一方の側面
１６  固定接点
１６ａ  第１電極
１６ｂ  第２電極
１７  弾性部材
１８  バネ部材
【図１】
2007165228.tif 000003
【図２】
2007165228.tif 000004
【図３】
2007165228.tif 000005
【図４】
2007165228.tif 000006
【図５】
2007165228.tif 000007
【図６】
2007165228.tif 000008
【図７】
2007165228.tif 000009
【図８】
2007165228.tif 000010
【図９】
2007165228.tif 000011
【図１０】
2007165228.tif 000012
【図１１】
2007165228.tif 000013
【図１２】
2007165228.tif 000014
【図１３】
2007165228.tif 000015
【図１４】
2007165228.tif 000016